(57)【要約】【課題】  着用することが快適であり、完全に抗アレルゲン性のバリヤーである抗アレルゲン性のパッチを提供する。【解決手段】  本発明は、少なくとも１つの接着性の第１の層（２）を有する抗アレルゲン性のパッチ（１）に関し、接着性の第１の層（２）は、当該パッチを物に固定するように意図された第１の面と、及び連続的な耐アレルゲン性のバリヤー性の第２の層（６）が取り付けられる第２の面とを有し、水蒸気を吸収し迅速に乾燥するように設計された通気性の良い材料によって作られた、当該物を着用している人の皮膚に接触するように意図されている第３の層（８）と、及び第２の層（６）と第３の層（８）の間に配置され第２の層（６）と第３の層（８）どうしを固定する結合用の第４の層（１０）とを有する。このような抗アレルゲン性のパッチを腕時計ケース裏部又は腕輪に配置することができる。【選択図】  図１
2018057849.tif 000002
【特許請求の範囲】
【請求項１】
少なくとも１つの接着性の第１の層（２）を有する抗アレルゲン性のパッチ（１）であって、
前記接着性の第１の層（２）は、当該パッチを物に固定するように意図された第１の面と、及び連続的な耐アレルゲン性のバリヤー性の第２の層（６）が取り付けられる第２の面とを有し、
当該抗アレルゲン性のパッチは、
水蒸気を吸収し迅速に乾燥するように設計された通気性の良い材料によって作られた、当該物を着用している人の皮膚に接触するように意図されている第３の層（８）と、及び
前記第２の層（６）と前記第３の層（８）の間に配置され前記第２の層（６）と前記第３の層（８）どうしを固定する結合用の第４の層（１０）とを有する
ことを特徴とする抗アレルゲン性のパッチ（１）。
【請求項２】
前記第３の層（８）の通気性の良い材料は、ポリウレタンをしみ込ませた超微細な不織性のポリアミドマイクロファイバーベースのものである
ことを特徴とする請求項１に記載の抗アレルゲン性のパッチ（１）。
【請求項３】
前記マイクロファイバーの直径は、０．１μｍ未満である
ことを特徴とする請求項２に記載の抗アレルゲン性のパッチ（１）。
【請求項４】
前記マイクロファイバーの直径は、０．０８μｍ未満である
ことを特徴とする請求項３に記載の抗アレルゲン性のパッチ（１）。
【請求項５】
前記マイクロファイバーの直径は、０．０５μｍ以下である
ことを特徴とする請求項４に記載の抗アレルゲン性のパッチ（１）。
【請求項６】
前記第３の層（８）の通気性の良い材料は、エクスパンデッドポリテトラフルオロエチレンの微孔質膜である
ことを特徴とする請求項１に記載の抗アレルゲン性のパッチ（１）。
【請求項７】
前記バリヤー性の第２の層（６）は、金属又は金属合金の層である
ことを特徴とする請求項１〜６のいずれかに記載の抗アレルゲン性のパッチ（１）。
【請求項８】
バリヤー性の第２の層（６）は金属化されたプラスチック膜を有する
ことを特徴とする請求項１〜６のいずれかに記載の抗アレルゲン性のパッチ（１）。
【請求項９】
前記バリヤー性の第２の層（６）は、セラミックス被覆を有するプラスチックフィルムを有する
ことを特徴とする請求項１〜６のいずれかに記載の抗アレルゲン性のパッチ（１）。
【請求項１０】
前記バリヤー性の第２の層（６）は、セラミックス被覆を有するプラスチックフィルムを有し、
前記第３の層（８）の前記通気性の良い材料は、エクスパンデッドポリテトラフルオロエチレンの微孔質膜である
ことを特徴とする請求項６に記載の抗アレルゲン性のパッチ（１）。
【請求項１１】
前記バリヤー性の第２の層（６）は、ナノ構造の高分子の層を有する
ことを特徴とする請求項１〜６のいずれかに記載の抗アレルゲン性のパッチ（１）。
【請求項１２】
前記バリヤー性の第２の層（６）の厚みは、５０μｍ未満である
ことを特徴とする請求項１〜１１のいずれかに記載の抗アレルゲン性のパッチ（１）。
【請求項１３】
前記バリヤー性の第２の層（６）の厚みは、２０μｍ未満である
ことを特徴とする請求項１２に記載の抗アレルゲン性のパッチ（１）。
【請求項１４】
前記バリヤー性の第２の層（６）の厚みは、１５μｍ以下である
ことを特徴とする請求項１３に記載の抗アレルゲン性のパッチ（１）。
【請求項１５】
総厚みが、０．３ｍｍ〜０．８ｍｍである
ことを特徴とする請求項１〜１４のいずれかに記載の抗アレルゲン性のパッチ（１）。
【請求項１６】
前記接着性の第１の層（２）は、再配置可能な接着剤ベースのものであり、取り外し可能な保護膜を有する
ことを特徴とする請求項１〜１５のいずれかに記載の抗アレルゲン性のパッチ（１）。
【請求項１７】
前記第３の層（８）は、レーザー処理又はホットスタンピングによって作られる装飾を有する
ことを特徴とする請求項１〜１６のいずれかに記載の抗アレルゲン性のパッチ（１）。
【請求項１８】
前記第３の層（８）の材料には、汚れ防止剤、皮膚のための化粧用活性剤、抗菌剤及び臭い吸収剤からなる群から選択される物質がしみ込ませられている
ことを特徴とする請求項１〜１７のいずれかに記載の抗アレルゲン性のパッチ（１）。
【請求項１９】
皮膚に接触するユーザーによって着用されるように意図された物であって、
ユーザーの皮膚と直接接触することができるように請求項１〜１８のいずれかに記載の抗アレルゲン性のパッチ（１）が当該物に接触するように配置されている
ことを特徴とする物。
【請求項２０】
当該抗アレルゲン性のパッチ（１）が接触するように配置されるケース裏部を有する腕時計ケース（４）と、腕輪と、装飾品と、及びユーザーの皮膚に接触するように意図された着用可能な電子機器の部品とからなる群から選択される
ことを特徴とする請求項１９に記載の物。
【請求項２１】
請求項１〜１８のいずれかに記載の抗アレルゲン性のパッチ（１）を製造する方法であって、
バリヤー性の第２の層（６）を接着性の第１の層（２）に取り付けるステップと、及び
通気性の良い材料で作られた第３の層（８）をバリヤー性の第２の層（６）に、前記バリヤー性の第２の層（６）と前記第３の層（８）の間に配置された結合用の第４の層（１０）によって取り付けるステップと
を有することを特徴とする方法。
【請求項２２】
プラスチックフィルムを金属化することによって前記バリヤー性の第２の層（６）を作るステップを有する
ことを特徴とする請求項２１に記載の方法。
【請求項２３】
レーザー処理又はホットスタンピングによって前記第３の層（８）を装飾するステップを有する
ことを特徴とする請求項２１又は２２に記載の方法。
【請求項２４】
槽にて浸すことによって又は超臨界ＣＯ2処置によって、前記第３の層（８）の材料に、汚れ防止剤、皮膚のための化粧用活性剤、抗菌剤及び臭い吸収剤からなる群から選択される物質をしみ込ませるステップを有する
ことを特徴とする請求項２１〜２３のいずれかに記載の方法。
【発明の詳細な説明】
【技術分野】
【０００１】
本発明は、パッチを物に固定するように意図された第１の面と、及び連続的な耐アレルゲン性のバリヤー性の第２の層が取り付けられている第２の面とを有する少なくとも１つの接着性の第１の層を有する抗アレルゲン性のパッチに関する。
【背景技術】
【０００２】
このようなパッチは知られており、例えば、欧州特許ＥＰ００３８７９３に記載されている。これは、パッチを担持している腕時計ストラップのようなフレキシブルな材料によって作られた物について記載している。このパッチは、前記材料から着用者の皮膚の上及び中にアレルゲン及び／又は刺激物を通すことを防ぐ連続的なバリヤー性の層と、及び接着性の層とによって作られている。バリヤー性の層は、金属粒子が充填されたマトリックス、又はアルミニウム又は銀によって作られた金属層の形態であることができる。この金属層の厚みは、１５０μｍ〜５００μｍであり、特に、２００μｍ〜３５０μｍである。このため、パッチは、比較的厚く、あまりフレキシブルではない。また、金属層の場合、金属層が皮膚と直接接触することとなる。このことは、ストラップを着用している人にとって不快となることがある。金属粒子を含むバリヤー性の層の場合には、このようなバリヤー性の層は、例えば、腕時計のケース裏部の材料などにあるニッケルイオンの移動から、完全には保護されない。結果的に、欧州特許ＥＰ００３８７９３に記載されている皮革製の腕時計ストラップに固定されるタイプのパッチは、例えば、腕時計ケースの金属性の裏部に固定するためには適していない。
【０００３】
欧州特許ＥＰ００３８７９３に記載されているパッチの変形態様は、市販されており、これも、接着性の層とバリヤー性の層を有する。バリヤー性の層は、バリヤー性の層としてはたらくポリウレタン層で被覆された皮革である。この場合にも、作られるパッチは、２ｍｍ以上の非常に大きな総厚みを有する。このために、このパッチが腕時計ケース裏部と接触するように用いられる場合、パッチの厚みが大きいことによって、着用時における審美的な問題が発生する。すなわち、腕時計は手首上で高くなりすぎ、腕時計の着用時にパッチが見えることになる。その上に、このような腕時計を着用することが不快となることがある。さらに、用いられる皮革は、クロムなめしされた皮革であり、このことは、クロムが自由に移動することの潜在的リスクがあり、着用者がクロムに対するアレルギーを持っていれば、アレルギー反応の別のリスクが発生しうることを意味している。
【発明の概要】
【発明が解決しようとする課題】
【０００４】
本発明の特定の目的は、既知の抗アレルゲン性のパッチの様々な短所を和らげることである。
【０００５】
具体的には、本発明の１つの目的は、着用することが快適であるという特性も持たせつつ完全に抗アレルゲン性のバリヤーであるという特性を有する抗アレルゲン性のパッチを提供することである。
【課題を解決するための手段】
【０００６】
このために、本発明は、少なくとも１つの接着性の第１の層を有する抗アレルゲン性のパッチに関し、前記接着性の第１の層は、当該パッチを物に固定するように意図された第１の面と、及び連続的な耐アレルゲン性のバリヤー性の第２の層が取り付けられる第２の面とを有する。
【０００７】
本発明によると、当該抗アレルゲン性のパッチは、水蒸気を吸収し迅速に乾燥するように設計された通気性の良い材料によって作られた、当該物を着用している人の皮膚に接触するように意図されている第３の層と、及び前記第２の層と前記第３の層の間に配置され前記第２の層と前記第３の層どうしを固定する結合用の第４の層とを有する。
【０００８】
したがって、当該パッチは、当該物を着用する人の皮膚に接触するように意図された、快適に着用することができる外側層を有し、完全に抗アレルゲン性のバリヤーを確実にしつつ、皮膚が必要とする通気性を皮膚に与えることができる。
【０００９】
また、本発明は、皮膚に接触するユーザーによって着用されるように意図された物であって、ユーザーの皮膚と直接接触することができるように上記抗アレルゲン性のパッチが当該物に接触するように配置されているものに関する。このような物は、例えば、当該抗アレルゲン性のパッチが接触するように配置されるケース裏部を有する腕時計ケース、腕輪、装飾品、又はユーザーの皮膚に接触するように意図された着用可能な電子機器の部品である。
【００１０】
また、本発明は、上記抗アレルゲン性のパッチを製造する方法に関し、バリヤー性の第２の層を接着性の第１の層に取り付けるステップと、及び通気性の良い材料で作られた第３の層をバリヤー性の第２の層に、前記バリヤー性の第２の層と前記第３の層の間に配置された結合用の第４の層によって取り付けるステップとを有する。
【００１１】
添付の図面を参照しながら以下の説明（情報として与えられるのであって、これに限定されない）を読むことで、他の特別な特徴や利点についても明らかになるであろう。
【図面の簡単な説明】
【００１２】
【図１】ユーザーによって着用される腕時計ケース裏部に位置している本発明に係るパッチの概略断面図である。
【発明を実施するための形態】
【００１３】
本発明は、ユーザーによって着用され皮膚に接触する物に固定されるように意図され、当該物の材料にあるアレルゲンが着用者の皮膚の上及び中に通り抜けることを防ぐことによって、当該物の中にあるアレルゲンに対するバリヤーとしてはたらくように設計された抗アレルゲン性のパッチに関する。以下の説明において、このような物は、抗アレルゲン性のパッチが配置される腕時計ケース裏部を有する腕時計ケースである。当該物は、ユーザーの皮膚と直接接触する可能性がある、腕輪、他の任意の装飾品又は着用可能な電子機器の部品であることもできる。腕時計ケース裏部は、例えば、ニッケルやコバルトを含有することがある。ニッケルやコバルトは、アレルゲン性の物質であることがあり、ケース裏部の表面に移動してユーザーの皮膚と接触するとアレルギーを発生させるリスクとなりうる。また、一部のユーザーの汗は、ケース裏部の金属と通常行われるように直接接触すると、その金属を腐食させてアレルゲンを放つようになることがある。
【００１４】
図１を参照すると、抗アレルゲン性のパッチ１は、接着性の第１の層２を有しており、この接着性の第１の層２の第１の面は、パッチ１を腕時計ケース４の裏部に固定するように意図されており、接着性の第１の層２の第２の面は、連続的なバリヤー性の第２の層６に固定される。これは、腕時計ケース４の裏部の材料の中にも存在することがあるニッケルやコバルトのようなアレルゲンに耐えることができる。
【００１５】
本発明によると、パッチ１は、さらに、着用者の皮膚９上で発生する水蒸気を吸収し迅速に乾くように設計された通気性の良い材料によって作られた第３の層８を有する。この第３の層８は、当該物を着用している人に接触する外側層を構成するように意図されている。第２の層６と第３の層８どうしは、これらの第２の層６及び第３の層８の間に配置される結合用の第４の層１０によって固定される。
【００１６】
好ましくは、第３の層８は、超微細な不織性のポリアミドマイクロファイバーで作ることができ、これは、例えば、針を使って、一緒にからませられ、ポリウレタンをしみ込ませることができる。好ましくは、マイクロファイバーの直径は、０．１μｍ未満であり、好ましくは、０．０８μｍ未満であり、さらに好ましくは、０．０５μｍ以下である。
【００１７】
このようなマイクロファイバーは、通気性が良い。すなわち、水蒸気を浸透させる。このようなマイクロファイバーは、優れた水分の移動を可能にする。このために、汗のような水蒸気が吸収される。このようなマイクロファイバーは、空気浸透性でもあり、優れた空気循環を可能にして、第３の層８は、非常に迅速に乾き、これによって、着用者の皮膚との湿っぽい／ウェットな接触を防ぐことができる。したがって、このようなマイクロファイバーを着用することは、非常に快適である。
【００１８】
別の変形態様によると、第３の層８の通気性の良い材料は、ＧＯＲＥ−ＴＥＸ（登録商標）タイプのエクスパンデッドポリテトラフルオロエチレンの超微細な層によって作られた微孔質膜であることができる。
【００１９】
好ましくは、具体的には、第３の層がマイクロファイバーである場合、バリヤー性の第２の層６は、例えば、チタン又はアルミニウムベースの、非アレルギー性の金属又は金属合金の層であることができる。
【００２０】
特に好ましい形態において、バリヤー性の第２の層６は、薄い金属化されたプラスチックフィルムを有する。このような層は、例えば、蒸発によって金属化されたポリエステルフィルムによって作られる。ＰＡＣＶＤ（プラズマ支援化学的気相成長法）によって金属化されたポリエチレンテレフタレート（ＰＥＴ）のフィルムを有利に用いることができる。
【００２１】
別の変形態様によると、バリヤー性の第２の層６は、無機のナノフィラーを用いるナノ構造の高分子の層を有し、この層を、ガス又はイオン拡散に対する耐性を持つようにすることができる。
【００２２】
別の変形態様、具体的には、第３の層８がＧＯＲＥ−ＴＥＸ（登録商標）膜である変形態様において、バリヤー性の第２の層６は、セラミックス被覆を有する薄いプラスチックフィルムを有することができる。好ましいことに、酸化アルミニウム被覆を有するポリエチレンテレフタレート（ＰＥＴ）フィルムを用いることができる。酸化アルミニウムで被覆されたポリエチレンテレフタレートフィルム及びＧＯＲＥ−ＴＥＸ（登録商標）膜は、透明であるという利点がある。このために、セラミックス被覆を有するプラスチックフィルムを有するバリヤー性の第２の層と、エクスパンデッドポリテトラフルオロエチレンの微孔質膜によって形成される通気性の良い材料によって作られた第３の層とを組み合わせ、特に、酸化アルミニウム被覆を有するポリエチレンテレフタレートフィルムによって形成されるバリヤー性の層と、ＧＯＲＥ−ＴＥＸ（登録商標）膜によって形成される第３の層とを組み合わせて、さらに、透明な接着性の第１の層及び透明な結合用の第４の層を選択することによって、完全に透明なパッチを作ることができる。このようにして、本発明に係るパッチは、適所に配置されると見えなくなる。このことによって、当該物の審美性を維持することができ、特に、腕時計ケース裏部の審美性を変えずにすむ。
【００２３】
好ましいことに、バリヤー性の第２の層６の厚みは、５０μｍ未満であり、好ましくは、２０μｍ未満であり、さらに好ましくは、１５μｍ以下である。特に、金属層自体の厚みが５μｍ未満であるような金属化されたプラスチックフィルムを用いることによって、非常に微細な厚みを作ることができる。このフィルムによって、特にフレキシブルなパッチを作ることができる。
【００２４】
本発明に係るパッチは、０．３ｍｍ〜０．８ｍｍの総厚みを有する。したがって、本発明に係るパッチは、非常に薄く、腕時計を着用する際に、腕時計ケース裏部の下で非常に目立たない。
【００２５】
バリヤー性の第２の層６及び第３の層８は、結合用の第４の層１０によって互いに固定される。この結合用の第４の層１０は、好ましいことに、強く不可逆的な接着性の層であることができる。
【００２６】
好ましいことに、接着性の第１の層２は、再配置可能な接着剤ベースのものであり、取り外し可能な保護膜を有する。このような再配置可能な接着剤には、腕時計ケース裏部にいずれの残留物も残さずに、必要なときにパッチを取り除き再配置することが可能であるという利点がある。
【００２７】
第１の変形態様によると、再配置可能な接着剤は、例えば、強い接着性を有するようにアクリル樹脂ベースの組成を有する圧感接着剤（ＰＳＡ）であることができ、また、好ましくは、シリコーン樹脂ベースの組成を有し、又は皮膚反応を発生させる物質がない任意の他の接着剤であることができる。
【００２８】
第２の変形態様によると、再配置可能な接着剤は、Ｇｅｃｋｏ（登録商標）Ｎａｎｏｐｌａｓｔ（登録商標）の微構造のケイ素膜であることができる。
【００２９】
好ましいことに、第３の層８は、特に、マイクロファイバーによって作られた場合に、装飾を有することができる。この装飾は、例えば、レーザー処理によって作られ、又はホットスタンピングなどによって第３の層の材料を変形することによって作られる。レーザー処理やホットスタンピングによって、アレルギーを発生させるリスクがある着色剤の添加を回避しつつ、第３の層上に装飾を設けることができる。
【００３０】
好ましいことに、第３の層８の材料には、特に、マイクロファイバーを含む場合に、汚れ防止剤、皮膚のための化粧用活性剤、抗菌剤及び臭い吸収剤からなる群から選択される物質をしみ込ませることができる。汚れ防止剤は、例えば、撥水効果を与えることができるフッ素処理されたシランである。皮膚のための化粧用活性剤は、皮膚のハイドロリピディックな膜を強くするように選択することができる。抗菌剤及び臭い吸収剤は、皮層に対する刺激及び不快な臭いの原因となるバクテリアの増殖を防ぐことができる銅、銀又は亜鉛イオンで官能化されたゼオライトであることができる。これらの物質は、槽にて浸すことによって又は超臨界ＣＯ2処置によって、第３の層の材料にしみ込むことができる。
【００３１】
本発明に係るパッチは、上記の様々な層を組み立てることによって製造される。当該方法は、好ましくは、プラスチック膜を金属化することによって、特に、ＰＡＣＶＤ（プラズマ支援化学的気相成長法）によってポリエチレンテレフタレート（ＰＥＴ）膜を金属化することによって、バリヤー性の第２の層６を作るステップを有する。
【００３２】
当該方法は、さらに、レーザー処理又はホットスタンピングによって第３の層を装飾するステップを有することができる。
【００３３】
当該方法は、さらに、槽にて浸すことによって又は超臨界ＣＯ2処置によって、第３の層８の材料に、汚れ防止剤、皮膚のための化粧用活性剤、抗菌剤及び臭い吸収剤からなる群から選択される物質をしみ込ませるステップを有することができる。
【００３４】
これによって、非常に薄く、非常にフレキシブルであり、着用することが非常に快適であるようなパッチを作ることができ、完全に抗アレルゲン性のバリヤーを確実にしつつ、着用者の皮膚に、それが必要とする通気性を与えることができる。
【００３５】
当然、本発明は、図示した例に制限されず、当業者にとって明白な多くの変形態様及び変更を行うことができる。
【符号の説明】
【００３６】
１  抗アレルゲン性のパッチ
２  接着性の第１の層
４  腕時計ケース
６  バリヤー性の第２の層
８  第３の層
９  皮膚
１０  結合用の第４の層
【図１】
2018057849.tif 000003